(57)【要約】【課題】回転リール部などの遊技を行う遊技部を収容する遊技機用の筐体を組み立てるために必要な部材の数量を少なくすることにより、筐体が必要となってからの組み立て工数を低減させる。【解決手段】遊技機用の筐体１は、設置時に遊技者と対向する側である前側が開放された方体状に箱体であり、回転リール部など遊技を行う遊技部を収容可能となっている。筐体１は、裏板１１と、底板１２と、天板１３と、側板１４と、側板１５と、を備える。底板１２は、裏板１１に回転軸１６を介して連結されている。底板１２は、回転軸１６を中心として、裏板１１の前側と後側との間を回動可能である。天板１３は、裏板１１に回転軸１７を介して連結されている。天板１３は、回転軸１７を中心として、裏板１１の前側と後側との間を回動可能である。側板１４は、裏板１１の右端部１１１に着脱可能に連結される。側板１５は、裏板１１の左端部１１２に着脱可能に連結される。【選択図】図６
2018038736.tif 000002
【特許請求の範囲】
【請求項１】
遊技を行う遊技部を収容する遊技機用の筐体であって、
設置時に遊技者と対向する側である前側が開放された方体状の箱体であり、
当該筐体の後端面となる板状の裏板と、
当該筐体の下端面となる板状の底板と、
当該筐体の上端面となる板状の天板と、
前記遊技者から見て当該筐体の左端面となる板状の一方の側板と、
前記遊技者から見て当該筐体の右端面となる板状の他方の側板と、を備え、
前記底板は、左右方向に沿った回転軸を中心として前記裏板の下端部に回動可能に連結され、
前記天板は、左右方向に沿った回転軸を中心として前記裏板の上端部に回動可能に連結され、
前記一方の側板は、前記裏板の左端部に着脱可能に連結され、
前記他方の側板は、前記裏板の右端部に着脱可能に連結されている
遊技機用の筐体。
【請求項２】
請求項１に記載の遊技機用の筐体であって、
前記裏板の後端面に当接するまで前記裏板の後方に回動された前記底板を前記裏板に係止する第一係止構造と、
前記裏板の後端面に当接するまで前記裏板の後方に回動された前記天板を前記裏板に係止する第二係止構造と、を更に備える
遊技機用の筐体。
【請求項３】
請求項１または請求項２に記載の遊技機用の筐体であって、
前記底板には、前記第一係止構造によって前記裏板に係止された状態で、後方に向けて延出する第一延出部が設けられ、
前記天板には、前記第二係止構造によって前記裏板に係止された状態で、後方に向けて延出する第二延出部が設けられている
遊技機用の筐体。
【請求項４】
請求項３に記載の遊技機用の筐体であって、
前記第一延出部は、前記底板が前記裏板の前側に回動された場合に、前記底板と前記一方の側板および前記他方の側板とを連結する第一連結部としても用いられ、
前記第二延出部は、前記天板が前記裏板の前側に回動された場合に、前記天板と前記一方の側板および前記他方の側板とを連結する第二連結部としても用いられる
遊技機用の筐体。
【発明の詳細な説明】
【技術分野】
【０００１】
本開示は、遊技機用の筐体に関する。
【背景技術】
【０００２】
特許文献１には、天板、底板、裏板および２枚の側板からなり、部材同士をホゾ穴結合する構造を有する遊技機用の筐体について開示されている。
【先行技術文献】
【特許文献】
【０００３】
【特許文献１】特開２００６−１３６５８５号公報
【発明の概要】
【発明が解決しようとする課題】
【０００４】
上述のような遊技機用の筐体は、天板、底板、裏板および２枚の側板からなり、筐体を組み立てるために必要な部材の数量が多いため、筐体が必要となってからの組み立て工数も多いという問題があった。
【０００５】
本開示は、このような課題に鑑みなされたものであり、その目的とするところは、筐体を組み立てるために必要な部材の数量を少なくすることにより、筐体が必要となってからの組み立て工数を低減させることにある。
【課題を解決するための手段】
【０００６】
本開示の遊技機用の筐体は、遊技を行う遊技部を収容する遊技機用の筐体であって、設置時に遊技者と対向する側である前側が開放された方体状の箱体であり、当該筐体の後端面となる板状の裏板と、当該筐体の下端面となる板状の底板と、当該筐体の上端面となる板状の天板と、前記遊技者から見て当該筐体の左端面となる板状の一方の側板と、前記遊技者から見て当該筐体の右端面となる板状の他方の側板と、を備え、前記底板は、左右方向に沿った回転軸を中心として前記裏板の下端部に回動可能に連結され、前記天板は、左右方向に沿った回転軸を中心として前記裏板の上端部に回動可能に連結され、前記一方の側板は、前記裏板の左端部に着脱可能に連結され、前記他方の側板は、前記裏板の右端部に着脱可能に連結されている。
【０００７】
本開示の遊技機用の筐体によれば、遊技部を収容する前の遊技機用の筐体を床や作業台などに載置しておく際には、底板および天板を回動させて裏板の前側または後側へ回動させるとともに、一方の側板および他方の側板を裏板から取り外した状態の半製品にしておけるので、筐体を組み立てるために必要な部材の数量を少なくすることができる。
【０００８】
また、本開示の遊技機用の筐体によれば、上述の半製品の状態にしておけば、一方の側板および他方の側板を裏板に連結させることで筐体を完成させることができるので、筐体が必要となってからの組み立て工数が少なくて済む。
【図面の簡単な説明】
【０００９】
【図１】遊技機用の筐体を示す斜視図である。
【図２】筐体のサブアッセンブリー品を示す斜視図である。
【図３】筐体のサブアッセンブリー品を示す斜視図である。
【図４】筐体のサブアッセンブリー品を積み上げた様子を示す斜視図である。
【図５】筐体の左右の側板を示す斜視図である。
【図６】筐体を組み立てる過程を示す斜視図である。
【図７】筐体を組み立てる過程を示す斜視図である。
【図８】筐体を組み立てる過程を示す斜視図である。
【発明を実施するための形態】
【００１０】
以下、図面を参照しながら、本開示の実施形態を説明する。
［実施形態］
［１．構成］
図１に示す遊技機用の筐体１は、設置時に遊技者と対向する側である前側が開放された方体状に箱体であり、回転リール部など遊技を行う遊技部を収容可能となっている。図１では遊技部の図示を省略する。
【００１１】
筐体１は、裏板１１と、底板１２と、天板１３と、側板１４と、側板１５と、を備える。
裏板１１は、板状で矩形の部材である。裏板１１は、筐体１の設置時には、筐体１が設置される設置面に対して垂直な姿勢となる。
【００１２】
底板１２は、板状で矩形の部材である。底板１２は、裏板１１の下端部に回動可能に連結されている。底板１２と裏板１１との連結構造については後述する。底板１２は、筐体１の設置時には設置面に載置された状態となる。
【００１３】
天板１３は、板状で矩形の部材である。天板１３は、裏板１１の下端部に回動可能に連結されている。天板１３と裏板１１との連結構造については後述する。天板１３と底板１２とは互いに対向する位置関係にある。
【００１４】
側板１４は、板状で矩形の部材である。側板１４は、裏板１１の両端部のうちの一方の端部に着脱可能に連結されている。側板１４と裏板１１との連結構造については後述する。側板１４は、筐体１の設置時には、設置面に対して垂直な姿勢となる。
【００１５】
側板１５は、板状で矩形の部材である。側板１５は、裏板１１の両端部のうちの他方の端部に着脱可能に連結されている。側板１５と裏板１１との連結構造については後述する。側板１５は、筐体１の設置時には、設置面に対して垂直な姿勢となる。側板１５と側板１４とは互いに対向する位置関係にある。
【００１６】
底板１２、天板１３、側板１４および側板１５は、裏板１１から見て同一の方向に配置される。底板１２、天板１３、側板１４および側板１５は、四角筒を形成する。裏板１１は、四角筒の両端部の開口のうちの一方を閉塞する。これにより、筐体１は、前側が開放された方体状に箱体になっている。
【００１７】
以下の説明においては、遊技機用の筐体１を構成する各部の相対的な位置関係を簡潔に説明するために、次のように規定する上下左右前後の各方向を利用して説明を行う。すなわち、裏板１１に対して底板１２、天板１３、側板１４および側板１５が配置される側を前側とし、その反対側を後側とする。底板１２に対して天板１３が配置される側を上側とし、その反対側を下側とする。側板１５に対して側板１４が配置される側を右側とし、その反対側を左側とする。
【００１８】
［１．１．裏板１１］
裏板１１の構成について、図２を参照しながら説明する。
裏板１１は、筐体１の後端面を構成する。裏板１１は、圧延鋼板等の金属製である。裏板１１は、上下方向の中心線に対して線対称に構成されている。ここでは一方の右端部１１１の構成について説明し、他方の左端部１１２の構成については説明を省略する。
【００１９】
裏板１１の右端部１１１には、４つの取付孔１１１Ａが形成されている。４つの取付孔１１１Ａは、上下方向に沿って配置されている。４つの取付孔１１１Ａは、裏板１１と側板１４との連結に用いられる。
【００２０】
裏板１１の右端部１１１には、壁部１１１Ｂが設けられている。壁部１１１Ｂは、４つの取付孔１１１Ａの左側にある。壁部１１１Ｂは、裏板１１の前面から前方に向けて立設する。壁部１１１Ｂは、上下方向に沿って延出する。壁部１１１Ｂは、右端部１１１に着脱可能に連結された側板１４に当接するようになっている。
【００２１】
裏板１１の下端部１１３には、４つの円筒部１１３Ａが形成されている。４つの円筒部１１３Ａは、左右方向に並べられている。４つの円筒部１１３Ａは、互いに連通する。４つの円筒部１１３Ａは、裏板１１と底板１２との連結に用いられる。
【００２２】
裏板１１の上端部１１４には、４つの円筒部１１４Ａが形成されている。４つの円筒部１１４Ａは、左右方向に並べられている。４つの円筒部１１４Ａは、互いに連通する。４つの円筒部１１４Ａは、裏板１１と天板１３との連結に用いられる。
【００２３】
裏板１１の下部には、２つの係止孔１１５が形成されている。２つの係止孔１１５は、左右方向に並べられている。２つの係止孔１１５のそれぞれには、グロメットが取り付けられる。図２では、グロメットの図示は省略する。２つの係止孔１１５および２つの係止孔１１５のそれぞれに取り付けられたグロメットは、裏板１１の裏側に回動された底板１２を裏板１１の裏側に係止させる際に用いられる。
【００２４】
裏板１１の上部には、２つの係止孔１１６が形成されている。２つの係止孔１１６は、左右方向に並べられている。２つの係止孔１１６のそれぞれには、グロメットが取り付けられる。図２では、グロメットの図示は省略する。２つの係止孔１１６および２つの係止孔１１６のそれぞれに取り付けられたグロメットは、裏板１１の裏側に回動された天板１３を裏板１１の裏側に係止させる際に用いられる。
【００２５】
裏板１１には、１つの凹部１１７および３つの凸部１１８が形成されている。１つの凹部１１７および３つの凸部１１８のそれぞれの形状および配置については、当該裏板１１の補強のために適宜設定される。
【００２６】
［１．２．底板１２］
底板１２の構成について、図２を参照しながら説明する。図２では、底板１２が回動して裏板１１と平行となっている状態を示すため、以下の説明においては、裏板１１の上下左右前後の各方向を利用して説明を行う。
【００２７】
底板１２は、筐体１の下端面を構成する。底板１２は、圧延鋼板等の金属製である。底板１２は、上下方向の中心線に対して線対称に構成されている。ここでは一方の右端部１２１の構成について説明し、他方の左端部１２２の構成については説明を省略する。
【００２８】
底板１２の右端部１２１の下端部には、連結部材１２３が取り付けられている。連結部材１２３は、固定部１２３Ａと、延出部１２３Ｂと、当接部１２３Ｃと、を有する。固定部１２３Ａは、平板状である。固定部１２３Ａは、右端部１２１の下端部に４本のビスで固定される。延出部１２３Ｂは、固定部１２３Ａの右端から前方に延出する。延出部１２３Ｂは、平板状である。延出部１２３Ｂは、底板１２を裏板１１の前側に回動させた場合に、裏板１１に連結された側板１４に当接するようになっている。延出部１２３Ｂには、４つの貫通孔１２３Ｄが形成されている。４つの貫通孔１２３Ｄは、底板１２と側板１４との連結に用いられる。当接部１２３Ｃは、延出部１２３Ｂの下端から左方に延出する。当接部１２３Ｃは、平板状である。当接部１２３Ｃは、底板１２を裏板１１の前側に回動させた場合に、裏板１１に連結された側板１４に当接するようになっている。当接部１２３Ｃには、１つの貫通孔１２３Ｅが形成されている。貫通孔１２３Ｅは、底板１２と側板１４との連結に用いられる。
【００２９】
連結部材１２３は、第一延出部および第一連結部に該当する。
底板１２の右端部１２１には、一対の壁部１２４，１２５が設けられている。壁部１２４は、底板１２の前面から前方に立設する。壁部１２４は、上下方向に沿って延出する。壁部１２５は、壁部１２４の左側にある。壁部１２５は、底板１２の前面から前方に向けて立設する。壁部１２５は、上下方向に沿って延出する。後述するように右端部１２１に側板１４が連結されると、壁部１２４と壁部１２５との間には側板１４が挿入されるようになっている。壁部１２５には、２つの取付孔１２５Ａが形成されている。２つの取付孔１２５Ａは、底板１２と側板１４との連結に用いられる。
【００３０】
底板１２の右端部１２１の下端部には、２つの取付孔１２６が形成されている。２つの取付孔１２６は、底板１２と側板１４との連結に用いられる。
底板１２の上端部には、３つの円筒部１２０Ａが形成されている。３つの円筒部１２０Ａは、左右方向に並べられている。３つの円筒部１２０Ａは、互いに連通する。３つの円筒部１２０Ａは、裏板１１と底板１２との連結に用いられる。すなわち、４つの円筒部１１３Ａと、３つの円筒部１２０Ａとは、交互に配置され、互いに連通する。これら７つの円筒部には、回転軸１６が挿通されている。回転軸１６は、左右方向に沿って配置されている。４つの円筒部１１３Ａは、回転軸１６の周りを回転可能である。３つの円筒部１２０Ａも同様に、回転軸１６の周りを回転可能である。底板１２は、裏板１１に対して回動可能となっている。
【００３１】
底板１２の中央部には、２つの係止孔１２７が形成されている。２つの係止孔１２７は、左右方向に並べられている。２つの係止孔１２７のそれぞれには、プランジャーが取り付けられる。図２では、プランジャーの図示は省略する。２つの係止孔１２７および２つの係止孔１２７のそれぞれに取り付けられたプランジャーは、裏板１１の裏側に回動された底板１２を裏板１１の裏側に係止させる際に用いられる。すなわち、底板１２が裏板１１の裏側に回動された場合に、裏板１１の２つの係止孔１１５のそれぞれと底板１２の２つの係止孔１２７のそれぞれとは連通する位置関係にある。底板１２を裏板１１の裏側に回動させて、グロメットにプランジャーを挿入させることにより、裏板１１の裏側に回動された底板１２を裏板１１の裏側に係止させることができる。２つの係止孔１１５、グロメット、２つの係止孔１２７、およびプランジャーは、第一係止構造に該当する。
【００３２】
底板１２には、１つの凹部１２８が形成されている。凹部１２８の形状および配置については、当該底板１２の補強のために適宜設定される。
［１．３．天板１３］
天板１３の構成について、図２を参照しながら説明する。図２では、天板１３が回動して裏板１１と平行となっている状態を示すため、以下の説明においては、裏板１１の上下左右前後の各方向を利用して説明を行う。
【００３３】
天板１３は、筐体１の上端面を構成する。天板１３は、圧延鋼板等の金属製である。天板１３は、上下方向の中心線に対して線対称に構成されている。ここでは一方の右端部１３１の構成について説明し、他方の左端部１３２の構成については説明を省略する。
【００３４】
天板１３の右端部１３１の上端部には、連結部材１３３が取り付けられている。連結部材１３３は、固定部１３３Ａと、延出部１３３Ｂと、当接部１３３Ｃと、を有する。固定部１３３Ａは、平板状である。固定部１３３Ａは、右端部１３１の上端部に４本のビスで固定される。延出部１３３Ｂは、固定部１３３Ａの右端から前方に延出する。延出部１３３Ｂは、平板状である。延出部１３３Ｂは、天板１３を裏板１１の前側に回動させた場合に、裏板１１に連結された側板１４に当接するようになっている。延出部１３３Ｂには、４つの貫通孔１３３Ｄが形成されている。４つの貫通孔１３３Ｄは、天板１３と側板１４との連結に用いられる。当接部１３３Ｃは、延出部１３３Ｂの上端から左方に延出する。当接部１３３Ｃは、平板状である。当接部１３３Ｃは、天板１３を裏板１１の前側に回動させた場合に、裏板１１に連結された側板１４に当接するようになっている。当接部１３３Ｃには、１つの貫通孔１３３Ｅが形成されている。貫通孔１３３Ｅは、天板１３と側板１４との連結に用いられる。
【００３５】
連結部材１３３は、第二延出部および第二連結部に該当する。
天板１３の右端部１３１には、壁部１３４が設けられている。壁部１３４は、天板１３の前面から前方に向けて立設する。壁部１３４は、上下方向に沿って延出する。後述するように右端部１３１に側板１４が連結されると、壁部１３４に側板１４が当接するようになっている。
【００３６】
天板１３の右端部１３１の上端には、２つの取付孔１３５が形成されている。２つの取付孔１３５は、天板１３と側板１４との連結に用いられる。
天板１３の上端部には、３つの円筒部１３０Ａが形成されている。３つの円筒部１３０Ａは、左右方向に並べられている。３つの円筒部１３０Ａは、互いに連通する。３つの円筒部１３０Ａは、裏板１１と天板１３との連結に用いられる。すなわち、４つの円筒部１１４Ａと、３つの円筒部１３０Ａとは、交互に配置され、互いに連通する。これら７つの円筒部には、回転軸１７が挿通されている。回転軸１７は、左右方向に沿って配置されている。４つの円筒部１１４Ａは、回転軸１７の周りを回転可能である。３つの円筒部１３０Ａも同様に、回転軸１７の周りを回転可能である。天板１３は、裏板１１に対して回動可能となっている。
【００３７】
天板１３の上部には、２つの係止孔１３６が形成されている。２つの係止孔１３６は、左右方向に並べられている。２つの係止孔１３６のそれぞれには、プランジャーが取り付けられる。図２では、プランジャーの図示は省略する。２つの係止孔１３６および２つの係止孔１３６のそれぞれに取り付けられたプランジャーは、裏板１１の裏側に回動された天板１３を裏板１１の裏側に係止させる際に用いられる。すなわち、天板１３が裏板１１の裏側に回動された場合に、裏板１１の２つの係止孔１１６のそれぞれと天板１１の２つの係止孔１３６のそれぞれとは連通する位置関係にある。天板１３を裏板１１の裏側に回動させて、グロメットにプランジャーを挿入させることにより、裏板１１の裏側に回動された天板１３を裏板１１の裏側に係止させることができる。２つの係止孔１１６、グロメット、２つの係止孔１３６、およびプランジャーは、第二係止構造に該当する。
【００３８】
天板１３には、４つの凸部１３７が形成されている。４つの凸部１３７のそれぞれの形状および配置については、当該天板１３の補強のために適宜設定される。
［１．４．側板１４，１５］
側板１４，１５の構成について、図５を参照しながら説明する。
【００３９】
側板１４は、筐体１の右端面を構成する。側板１５は、筐体１の左端面を構成する。ここでは一方の側板１４の構成について説明し、他方の側板１５の構成については説明を省略する。
【００４０】
側板１４は、後側部材１４１と、前側部材１４２と、を備える。
後側部材１４１は、板状の部材である。後側部材１４１は、樹脂製である。後側部材１４１の右側面には、格子状のリブ１４１Ａが形成されている。リブ１４１Ａの形状および配置については、当該側板１４の補強のために適宜設定される。後側部材１４１の左側面にも、リブ１４１Ａと同様の格子状のリブが形成されている。図５では、後側部材１４１の左側面のリブの図示は省略する。後側部材１４１の中央部には、差込部１４１Ｂが取り付けられている。差込部１４１Ｂは、樹脂製である。差込部１４１Ｂには、差込孔１４１Ｃが形成されている。差込孔１４１Ｃは、後側部材１４１の右側面に開口する。差込部１４１Ｂは、差込孔１４１Ｃから差込部１４１Ｂ内部に手を差し込んで筐体１を持ち上げることに利用される。
【００４１】
後側部材１４１の後側面には、４つの突起部が設けられている。図５では、突起部の図示は省略する。４つの取付孔１１１Ａのそれぞれに４つの突起部のそれぞれを嵌合させることにより、側板１４が右端部１１１に着脱可能に連結されるようになっている。
【００４２】
後側部材１４１の下部の前側面には、１つの取付孔１４１Ｄが形成されている。取付孔１４１Ｄは、側板１４と底板１２との連結に用いられる。すなわち、底板１２を裏板１１の前側に回動させることにより、右端部１１１に着脱可能に連結された側板１４に当接部１２３Ｃが当接すると、取付孔１４１Ｄが貫通孔１２３Ｅに連通するようになっている。貫通孔１２３Ｅに内挿されたビスを取付孔１４１Ｄに螺合させることにより、側板１４と底板１２とを連結部材１２３を介して連結させることができる。
【００４３】
後側部材１４１の上部の前側面には、１つの取付孔１４１Ｅが形成されている。取付孔１４１Ｅは、側板１４と天板１３との連結に用いられる。すなわち、天板１３を裏板１１の前側に回動させることにより、右端部１１１に着脱可能に連結された側板１４に当接部１３３Ｃが当接すると、取付孔１４１Ｅが貫通孔１３３Ｅに連通するようになっている。貫通孔１３３Ｅに内挿されたビスを取付孔１４１Ｅに螺合させることにより、側板１４と天板１３とを連結部材１３３を介して連結させることができる。
【００４４】
後側部材１４１の右側面の下部には、２つの貫通孔１４１Ｆが形成されている。２つの貫通孔１４１Ｆは、前後方向に並べて配置されている。２つの貫通孔１４１Ｆは、側板１４と底板１２との連結に用いられる。すなわち、底板１２を裏板１１の前側に回動させることにより、右端部１１１に着脱可能に連結された側板１４が壁部１２４と壁部１２５との間に挿入されると、２つの貫通孔１４１Ｆのそれぞれが、２つの取付孔１２５Ａのそれぞれに連通するようになっている。２つの貫通孔１４１Ｆのそれぞれに内挿されたビスを２つの取付孔１２５Ａのそれぞれに螺合させることにより、壁部１２５と側板１４とを連結させることができる。
【００４５】
前側部材１４２は、金属製である。前側部材１４２は、側板１４と底板１２および天板１３との連結に用いられる。前側部材１４２は、固定部１４３と、前連結部１４４と、下連結部１４５と、上連結部１４６と、を有する。
【００４６】
固定部１４３は、平板状である。固定部１４３は、後側部材１４１の右側面の前部に当接する状態で、後側部材１４１に６本のビスで固定される。固定部１４３の上部には、４つの取付孔１４３Ａが形成されている。４つの取付孔１４３Ａは、側板１４と天板１３との連結に用いられる。すなわち、天板１３を裏板１１の前側に回動させることにより、右端部１１１に着脱可能に連結された側板１４に延出部１３３Ｂが当接すると、４つの取付孔１４３Ａのそれぞれが、４つの貫通孔１３３Ｄのそれぞれと連通するようになっている。４つの貫通孔１３３Ｄのそれぞれに内挿されたビスを４つの取付孔１４３Ａのそれぞれに螺合させることにより、側板１４と天板１３とを連結部材１３３を介して連結させることができる。固定部１４３の下部には、４つの取付孔１４３Ｂが形成されている。４つの取付孔１４３Ｂは、側板１４と底板１２との連結に用いられる。すなわち、底板１２を裏板１１の前側に回動させることにより、右端部１１１に着脱可能に連結された側板１４に延出部１２３Ｂが当接すると、４つの取付孔１４３Ｂのそれぞれが、４つの貫通孔１２３Ｄのそれぞれと連通するようになっている。４つの貫通孔１２３Ｄのそれぞれに内挿されたビスを４つの取付孔１４３Ｂのそれぞれに螺合させることにより、側板１４と底板１２とを連結部材１２３を介して連結させることができる。
【００４７】
前連結部１４４は、固定部１４３の前端から左方向に延出する。
下連結部１４５は、固定部１４３の下端から右方向に延出する。下連結部１４５は、平板状である。下連結部１４５には、２つの貫通孔１４５Ａが形成されている。２つの貫通孔１４５Ａは、側板１４と底板１２との連結に用いられる。すなわち、底板１２を裏板１１の前側に回動させることにより、右端部１１１に着脱可能に連結された側板１４に底板１２が当接すると、２つの貫通孔１４５Ａのそれぞれが、２つの取付孔１２６のそれぞれに連通するようになっている。２つの貫通孔１４５Ａのそれぞれに内挿されたビスを２つの取付孔１２６のそれぞれに螺合させることにより、底板１２と側板１４とを連結させることができる。
【００４８】
上連結部１４６は、固定部１４３の上端から右方向に延出する。上連結部１４６は、平板状である。上連結部１４６には、２つの貫通孔１４６Ａが形成されている。２つの貫通孔１４６Ａは、側板１４と天板１３との連結に用いられる。すなわち、天板１３を裏板１１の前側に回動させることにより、右端部１１１に着脱可能に連結された側板１４に天板１３が当接すると、２つの貫通孔１４６Ａのそれぞれが、２つの取付孔１３５のそれぞれに連通する。２つの貫通孔１４６Ａのそれぞれに内挿されたビスを２つの貫通孔１４６Ａのそれぞれに螺合させることにより、天板１３と側板１４とを連結することができる。  ［２．組み立て手順］
次に、筐体１を組み立てる手順について説明する。
【００４９】
（１）底板１２および天板１３を裏板１１に取り付ける。具体的には、図２に示すように、底板１２を裏板１１に回転軸１６を介して連結させる。すなわち、裏板１１の下端部１１３の４つの円筒部１１３Ａと、底板１２の上端部の３つの円筒部１２０Ａとが互いに連通する状態で、回転軸１６を挿通させる。底板１２は、回転軸１６を中心として、裏板１１の前側と後側との間を回動可能となる。続いて、天板１３を裏板１１に回転軸１７を介して連結させる。すなわち、裏板１１の上端部１１４の４つの円筒部１１４Ａと、天板１３の上端部の３つの円筒部１３０Ａとが互いに連通する状態で、回転軸１７を挿通させる。天板１３は、回転軸１７を中心として、裏板１１の前側と後側との間を回動可能となる。底板１２および天板１３を裏板１１に取り付けることにより半製品であるサブアッセンブリー品２となる。
【００５０】
（２）このサブアッセンブリー品２では、底板１２および天板１３を裏板１１の裏側に回動させて係止させることができる。すなわち、底板１２を裏板１１の裏側に回動させて、底板１２の２つの係止孔１２７のそれぞれに取り付けられたプランジャー（図示省略）を裏板１１の２つの係止孔１１５のそれぞれに取り付けられたグロメット（図示省略）に挿入させることで、底板１２を裏板１１の裏側に係止させることができる。また、天板１３を裏板１１の裏側に回動させて、天板１３の２つの係止孔１３６のそれぞれに取り付けられたプランジャー（図示省略）を裏板１１の２つの係止孔１１６のそれぞれに取り付けられたグロメット（図示省略）に挿入させることで、天板１３を裏板１１の裏側に係止させることができる。
【００５１】
このように底板１２および天板１３を裏板１１の裏側に回動させて係止させると、図４に示すように、サブアッセンブリー品２を積み重ねることができる。サブアッセンブリー品２を積み重ねると、延出部１２３Ｂおよび延出部１３３Ｂの高さ寸法の分だけ上側の裏板１１と下側の裏板１１との間に空間が形成される。このため、下側の裏板１１の表面に構造物が取り付けられていても、この構造物の高さ寸法が延出部１２３Ｂおよび延出部１３３Ｂの高さ寸法よりも小さい場合には、この構造物が上側の裏板１１と干渉せず好適である。
【００５２】
（３）側板１４および側板１５を裏板１１に取り付ける。まず、側板１４を裏板１１に取り付けるには、図６に示すように、側板１４の後側面を裏板１１の右端部１１１に当接させる。側板１４の後側面の４つの突起部（図示省略）を、裏板１１の右端部１１１の４つの取付孔１１１Ａに嵌合させる。このとき、側板１４には、裏板１１の右端部１１１の壁部１１１Ｂが当接する状態となる。側板１５を裏板１１に取り付ける場合も同様である。
【００５３】
（４）底板１２と側板１４および側板１５とを連結させる。まず、底板１２と側板１４とを連結させるには、図７に示すように、底板１２を裏板１１の前側に回動させ、連結部材１２３を側板１４に当接させるとともに、下連結部１４５を底板１２に当接させる。このとき、側板１４が、底板１２の右端部１２１の一対の壁部１２４，１２５の間に挿入された状態となる。図７に示すように、４つの貫通孔１２３Ｄのそれぞれからビスを挿通させて前側部材１４２の下部側面の４つの取付孔１４３Ｂに螺合させる。また、貫通孔１２３Ｅからビスを挿通させて前側部材１４２の下部前面の取付孔１４１Ｄに螺合させる。さらに、２つの貫通孔１４５Ａのそれぞれからビスを挿通させて右端部１２１の下部の２つの取付孔１２６に螺合させる。また、２つの貫通孔１４１Ｆのそれぞれからビスを挿通させて２つの取付孔１２５Ａに螺合させる。底板１２と側板１５とを連結させる場合も同様である。
【００５４】
（５）天板１３と側板１４および側板１５とを連結させる。まず、天板１３と側板１４とを連結させるには、図７に示すように、天板１３を裏板１１の前側に回動させ、連結部材１３３を側板１４に当接させるとともに、上連結部１４６を天板１３に当接させる。このとき、側板１４が、天板１３の右端部１３１の壁部１３４に当接する状態となる。図７に示すように、４つの貫通孔１３３Ｄのそれぞれからビスを挿通させて前側部材１４２の上部側面の４つの取付孔１４３Ａに螺合させる。また、貫通孔１３３Ｅからビスを挿通させて前側部材１４２の上部前面の取付孔１４１Ｅに螺合させる。さらに、２つの貫通孔１４６Ａのそれぞれからビスを挿通させて右端部１２１の上部の２つの取付孔１３５に螺合させる。天板１３と側板１５とを連結させる場合も同様である。
【００５５】
（６）以上の手順により、図８に示すように、筐体１が組み立てられる。
［３．効果］
以上詳述した実施形態によれば、以下の効果を奏する。
【００５６】
遊技部を収容する前の遊技機用の筐体を床や作業台などに載置しておく際には、底板１２および天板１３を回動させて裏板１１の後側へ回動させるとともに、側板１４，１５を裏板１１から取り外した状態のサブアッセンブリー品２にしておけるので、筐体１を組み立てるために必要な部材の数量を少なくすることができる。
【００５７】
また、上述のサブアッセンブリー品２の状態にしておけば、側板１４，１５を裏板１１に連結させることで筐体１を完成させることができるので、筐体１が必要となってからの組み立て工数が少なくて済む。
【００５８】
［４．他の実施形態］
以上、本開示の実施形態について説明したが、本開示は上述の実施形態に限定されることなく、種々変形して実施することができる。
【００５９】
（１）上記実施形態では、裏板１１が、圧延鋼板等の金属製であるが、これに限定されるものではない。例えば、裏板１１が熱可塑性樹脂等の樹脂製であってもよいし、木質材製であってもよいし、これらの複合体であってもよい。底板１２および天板１３についても同様である。
【００６０】
（２）上記実施形態では、底板１２を裏板１１の裏側に回動させて、底板１２の２つの係止孔１２７のそれぞれに取り付けられたプランジャー（図示省略）を裏板１１の２つの係止孔１１５のそれぞれに取り付けられたグロメット（図示省略）に挿入させることで、底板１２を裏板１１の裏側に係止させるが、これに限られない。底板１２を裏板１１の裏側に回動させて、底板１２に取り付けられた面ファスナーの一方と裏板１１に取り付けられた面ファスナーの他方とを係合させることで、底板１２を裏板１１の裏側に係止させるようにしてもよい。天板１３を裏板１１の裏側に係止させる場合も同様である。この場合、面ファスナーの一方および面ファスナーの他方が第一係止構造および第二係止構造に該当する。
【００６１】
（３）上記実施形態では、側板１４が、後側部材１４１が熱可塑性樹脂等の樹脂製であり、前側部材１４２が圧延鋼板等の金属製であるが、これに限定されるものではない。例えば、後側部材１４１が金属製であってもよいし、木質材製であってもよい。また、前側部材１４２についても、樹脂製であってもよいし、木質材製であってもよい。側板１５についても同様である。
【００６２】
（４）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００６３】
（５）また、本開示の技術は、遊技機用の筐体の他、筐体を構成要素とする遊技機など、種々の形態で実現することもできる。
【符号の説明】
【００６４】
１…筐体、２…サブアッセンブリー品、１１…裏板、１２…底板１２、１３…天板、１４，１５…側板、１６，１７…回転軸、１１１…裏板の右端部、１１２…裏板の左端部、１１３…裏板の上端部、１１４…裏板の下端部、１１５，１１６…係止孔、１２３，１３３…連結部材、１２７，１３６…係止孔。
【図１】
2018038736.tif 000003
【図２】
2018038736.tif 000004
【図３】
2018038736.tif 000005
【図４】
2018038736.tif 000006
【図５】
2018038736.tif 000007
【図６】
2018038736.tif 000008
【図７】
2018038736.tif 000009
【図８】
2018038736.tif 000010